(57)【要約】【課題】空気を効果的に浄化することが可能な空気浄化機能付き照明装置を提供する。【解決手段】空気浄化機能付き照明装置である行燈１は、光を発する光源４０と、光源４０を囲むように光源４０の側方に配置され、光源４０を含んだ内部空間３を形成する側壁２と、空気中の特定成分を吸着するフィルタ６０とを備え、側壁２は、光源４０が発した光を通すことが可能な透光性パネル２１を含み、フィルタ６０は、内部空間３を下方から覆うように光源４０の下方に配置されている。【選択図】図３
0003195461.tif 000002
【実用新案登録請求の範囲】
【請求項１】
光を発する光源と、
前記光源を囲むように当該光源の側方に配置され、前記光源を含んだ内部空間を形成する側壁と、
空気中の特定成分を吸着するフィルタとを備え、
前記フィルタは、前記内部空間を下方から覆うように前記光源の下方に配置されている
ことを特徴とする空気浄化機能付き照明装置。
【請求項２】
前記側壁は、前記光源を側方から支持するための光源支持パネルを含む
ことを特徴とする請求項１に記載の空気浄化機能付き照明装置。
【請求項３】
前記フィルタには、上下方向に貫通する貫通孔が複数形成されている
ことを特徴とする請求項１または２に記載の空気浄化機能付き照明装置。
【請求項４】
前記フィルタは、前記特定成分を吸着する活性炭により構成されている
ことを特徴とする請求項１〜３のいずれか一項に記載の空気浄化機能付き照明装置。
【請求項５】
前記活性炭は、光触媒を担持している
ことを特徴とする請求項４に記載の空気浄化機能付き照明装置。
【請求項６】
前記側壁は、前記光源が発した光を通すことが可能な透光性パネルを含み、
前記透光性パネルは、ヨシ紙または竹紙を用いて構成されている
ことを特徴とする請求項１〜５のいずれか一項に記載の空気浄化機能付き照明装置。
【請求項７】
前記フィルタを支持する基台を備え、
前記基台は、前記フィルタによって塞がれる開口部を有する底板部と、当該底板部から下方に突出するとともに当該底板部を支持する支持脚とを有する
ことを特徴とする請求項１〜６のいずれか一項に記載の空気浄化機能付き照明装置。
【請求項８】
前記フィルタを支持する基台を備え、
前記側壁は、前記光源が発した光を通すことが可能な透光性パネルを含み、
前記基台には、前記透光性パネルを支持する枠体が設けられ、
前記枠体は、当該枠体から前記透光性パネルが取り外せるように上方に開口する
ことを特徴とする請求項１〜５のいずれか一項に記載の空気浄化機能付き照明装置。
【請求項９】
前記内部空間を上方から覆うように前記光源の上方に配置される上面部材を備え、
前記上面部材は、竹紙またはヨシ紙を用いて構成されている
ことを特徴とする請求項１〜８のいずれか一項に記載の空気浄化機能付き照明装置。
【考案の詳細な説明】
【技術分野】
【０００１】
本考案は、空気を浄化する機能を有する空気浄化機能付き照明装置に関するものである。
【背景技術】
【０００２】
一般的に、光源と、光源を囲むように光源の側方に配置され、光源を含んだ内部空間を形成する側壁とを備える照明装置が知られている。また、照明機能だけでなく空気浄化機能も有する照明装置が開発されている（例えば特許文献１および２参照）。
【０００３】
特許文献１には、光源としての白熱電灯と、側壁としてのカバー部材と、活性炭混抄紙で構成された消臭フィルタとを備える照明装置が記載されている。消臭フィルタは、光源の上方に配置されている。このような構成により、照明装置の周囲の空気は、消臭フィルタを通ることによって浄化される。
【０００４】
特許文献２には、光源としてのランプと、側壁としての透光性基体とを備える照明器具が記載されている。透光性基体は、内筒および外筒からなり、内筒の内表面および外表面並びに外筒の内表面には、光触媒が担持された光触媒反応層が形成されている。このような構成により、照明器具の周囲の空気は、ランプと内筒との間および内筒と外筒との間を光触媒反応層に沿って流れることによって浄化される。
【先行技術文献】
【特許文献】
【０００５】
【特許文献１】特開２００７−１３４１２９号公報
【特許文献２】特開２００７−３３５１６４号公報
【考案の概要】
【０００６】
しかし、特許文献１の構成では、光源の発熱によってフィルタの温度が上昇し、それによってフィルタが悪臭成分等の特定成分を吸着する作用が阻害され、空気が十分に浄化されないという問題が生じる。
【０００７】
また、特許文献２の構成では、光触媒反応層の表面を流れる空気は浄化されるものの、光触媒反応層の表面から離れた部分を流れる空気は光触媒反応層に触れないため、空気が十分に浄化されないという問題が生じる。
【考案が解決しようとする課題】
【０００８】
本考案は、上記事情に鑑みてなされたものであって、空気を効果的に浄化することが可能な空気浄化機能付き照明装置を提供することを課題とする。
【課題を解決するための手段】
【０００９】
上記課題を解決するため、請求項１に記載の空気浄化機能付き照明装置は、光を発する光源と、前記光源を囲むように当該光源の側方に配置され、前記光源を含んだ内部空間を形成する側壁と、空気中の特定成分を吸着するフィルタとを備え、前記フィルタは、前記内部空間を下方から覆うように前記光源の下方に配置されていることを特徴とする。
【００１０】
また、請求項２に記載の空気浄化機能付き照明装置は、請求項１に記載の照明装置において、前記側壁は、前記光源を側方から支持するための光源支持パネルを含むことを特徴とする。
【００１１】
また、請求項３に記載の空気浄化機能付き照明装置は、請求項１または２に記載の照明装置において、前記フィルタには、上下方向に貫通する貫通孔が複数形成されていることを特徴とする。
【００１２】
また、請求項４に記載の空気浄化機能付き照明装置は、請求項１〜３のいずれか一項に記載の照明装置において、前記フィルタは、前記特定成分を吸着する活性炭により構成されていることを特徴とする。
【００１３】
また、請求項５に記載の空気浄化機能付き照明装置は、請求項４に記載の照明装置において、前記活性炭は、光触媒を担持していることを特徴とする。
【００１４】
また、請求項６に記載の空気浄化機能付き照明装置は、請求項１〜５のいずれか一項に記載の照明装置において、前記側壁は、前記光源が発した光を通すことが可能な透光性パネルを含み、前記透光性パネルは、ヨシ紙または竹紙を用いて構成されていることを特徴とする。
【００１５】
また、請求項７に記載の空気浄化機能付き照明装置は、請求項１〜６のいずれか一項に記載の照明装置において、前記フィルタを支持する基台を備え、前記基台は、前記フィルタによって塞がれる開口部を有する底板部と、当該底板部から下方に突出するとともに当該底板部を支持する支持脚とを有することを特徴とする。
【００１６】
また、請求項８に記載の空気浄化機能付き照明装置は、請求項１〜５のいずれか一項に記載の照明装置において、前記フィルタを支持する基台を備え、前記側壁は、前記光源が発した光を通すことが可能な透光性パネルを含み、前記基台には、前記透光性パネルを支持する枠体が設けられ、前記枠体は、当該枠体から前記透光性パネルが取り外せるように上方に開口することを特徴とする。
【００１７】
また、請求項９に記載の空気浄化機能付き照明装置は、請求項１〜８のいずれか一項に記載の照明装置において、前記内部空間を上方から覆うように前記光源の上方に配置される上面部材を備え、前記上面部材は、竹紙またはヨシ紙を用いて構成されていることを特徴とする。
【考案の効果】
【００１８】
本考案によれば、空気を効果的に浄化することが可能な空気浄化機能付き照明装置を提供することができる。
【図面の簡単な説明】
【００１９】
【図１】本考案の一実施形態に係る空気浄化機能付き照明装置の外観を示す図であって、（Ａ）は右側面図であり、（Ｂ）は正面図であり、（Ｃ）は左側面図であり、（Ｄ）は背面図である。
【図２】同実施形態に係る空気浄化機能付き照明装置の外観を示す図であって、（Ａ）は平面図であり、（Ｂ）は底面図である。
【図３】同実施形態に係る空気浄化機能付き照明装置の内部空間を示す図であって、上面部材が取り外された状態の平面図である。
【図４】同実施形態に係る空気浄化機能付き照明装置の断面図である。
【図５】比較例に係る空気浄化機能付き照明装置の断面図である。
【図６】同実施形態に係る空気浄化機能付き照明装置および比較例の悪臭成分濃度測定の実施結果を示すグラフである。
【考案を実施するための形態】
【００２０】
図１〜４を参照しながら、本考案に係る空気浄化機能付き照明装置の一実施形態を説明する。なお、図面において、矢印Ｘで示す前後方向Ｘと、矢印Ｙで示す左右方向Ｙと、矢印Ｚで示す上下方向Ｚとは、互いに直交する方向である。
【００２１】
図１に示すように、本実施形態の空気浄化機能付き照明装置は、電気式の行燈１である。行燈１は、基台１０、側面部材２０、上面部材３０、光源４０、配線器具５０、およびフィルタ６０を備えている。図１および図２は、行燈１の六面図である。
【００２２】
基台１０は、木材により形成されており、フィルタ６０を支持する。基台１０は、底板部１１、４本の支持脚１２、４本の支柱１３、および４本の上桟１４を有する。下方から見て四角枠状の底板部１１には、行燈１の周囲から後述する内部空間３へ空気を流入させる開口部１１Ａ（図２（Ｂ）参照）が設けられている。底板部１１は、開口部１１Ａを塞ぐフィルタ６０を支持する。支持脚１２は、底板部１１の四隅に設けられており、底板部１１から下方に突出することによって、行燈１が床に設置されたときに底板部１１を下方から支持する。支柱１３は、支持脚１２と同様に底板部１１の四隅に設けられており、底板部１１から上方に突出している。各上桟１４は、隣り合う２本の支柱１３の間に設けられ、２本の支柱１３の上端部を互いに接続している。底板部１１および支柱１３および上桟１４は、側面部材２０を支持する前後左右４つの枠体１５〜１８を構成する。図３は、上面部材３０が基台１０から取り外された状態を示しており、図３に示すように、枠体１５〜１８は、枠体１５〜１８から側面部材２０を取り外せるように上方に開口する。
【００２３】
側面部材２０および支柱１３は、側壁２を構成している。側壁２は、光源４０を囲むように光源４０の側方に配置され、光源４０を含んだ内部空間３（図３参照）を形成する。側面部材２０は、光源４０の前方と右方と左方とに配置された３枚の透光性パネル２１と、光源４０の後方に配置された１枚の光源支持パネル２２とにより構成されている。透光性パネル２１は、光源４０が発した光を通すことが可能な板状の透光体である。透光性パネル２１は、耐熱性を有する透明な板２１Ａ（図３参照）と、薄い非木材紙２１Ｂ（図３参照）とが積層されることにより構成されている。透光性パネル２１は、板２１Ａが内部空間３に面するように、基台１０の右端部、前端部、および左端部に設けられた枠体１５〜１７に嵌め入れられている。非木材紙２１Ｂの材料については後述する。光源支持パネル２２は、後述するソケット５２を介して光源４０を側方（後方）から支持するための硬質の板であって、木材により形成されている。光源支持パネル２２は、基台１０の後端部に設けられた枠体１８に嵌め入れられている。
【００２４】
上面部材３０は、内部空間３を上方から覆うように光源４０の上方に配置される蓋である。上面部材３０は、枠体３１、格子３２、および非木材紙３３により構成されている（図２参照）。枠体３１は、木材により形成されており、上方から見て四角枠状の枠体３１には、内部空間３から行燈１の外部へ空気を流出させる開口部３１Ａが設けられている。枠体３１が、支柱１３および上桟１４上に載置されることによって、基台１０に上面部材３０が取り付けられる。格子３２は、開口部３１Ａに設けられており、互いに交差する複数の細長い木材により形成されている。非木材紙３３は、枠体３１および格子３２の下面に貼り付けられている。非木材紙３３の材料については後述する。非木材紙３３には、通気性を有するために空隙（図示略）が形成されている。非木材紙３３の空隙率は、通気性を向上させる観点からは大きいことが好ましいが、内部空間３へ埃が入ることを抑制するとともに行燈１の外部から光源４０が直接目視されることを抑制するために、非木材紙３３の空隙率は５０％未満であることが好ましい。
【００２５】
光源４０は、発光ダイオード（Light Emitting Diode；ＬＥＤ）で構成されたＬＥＤ電球である。ＬＥＤ電球は、交流電流を直流電流に変換するＡＣ／ＤＣ変換回路（不図示）と、直流電流の通電によって発光する発光ダイオードを有している。光源４０には、配線器具５０を介して商用電源（不図示）から交流電流が供給される。
【００２６】
配線器具５０は、電源コード５１とソケット５２とにより構成されている（図１参照）。電源コード５１の一端には、交流電源に接続されるプラグ（図示略）が設けられており、電源コード５１の他端は、ソケット５２に接続されている。ソケット５２は、電源コード５１と電気的に接続された電極（不図示）を有しており、光源支持パネル２２に固定されている。ソケット５２に光源４０が挿し込まれることによって、光源４０と電源コード５１とが電気的に接続されるとともに、内部空間３において光源４０が光源支持パネル２２によって支持される。なお、図２以降において、電源コード５１の図示は省略する。
【００２７】
フィルタ６０は、内部空間３を下方から覆うように光源４０の下方に配置されている。フィルタ６０は、押し出し成形された活性炭と、活性炭に担持された光触媒とにより構成されている。活性炭は、空気中の悪臭成分および有害成分（特定成分）を吸着する。フィルタ６０には、上下方向Ｚに貫通する貫通孔６１（図４参照）が複数形成されており、各貫通孔６１は四角柱状に形成されている。図４は、行燈１の断面図であって、前後方向Ｘに垂直な断面をハッチングによって示している。活性炭が担持する光触媒は、二酸化チタンであって、光源４０の発する光によって触媒作用を示す。
【００２８】
透光性パネル２１の非木材紙２１Ｂと、上面部材３０の非木材紙３３とは、非木材植物を原料に形成されたヨシ紙または竹紙である。ヨシ紙は、ヨシ（葦）を粉砕し、煮て、漉くことによって製造された紙である。竹紙は、竹の節を除き、水に漬け込み、煮て、砕き、漉くことによって製造された紙である。竹紙は、手漉きで製造することによって空隙率を大きくすることが容易であるため、通気性を確保することが求められる上面部材３０の非木材紙３３として好適である。
【００２９】
図４を参照して、本考案の作用を説明する。
光源４０が点灯すると、発熱して内部空間３の空気が暖まる。これにより煙突効果が生じるため、図４中の二点鎖線で示すように空気が流れる。すなわち、内部空間３の空気に浮力が生じ、行燈１の周囲の空気がフィルタ６０の下方の空間から内部空間３に流入するとともに、内部空間３で加熱された空気が上昇して行燈１の上方に流出する。このようにして、内部空間３を下方から上方に流れる空気の対流が生じることによって、行燈１の周囲の空気が、フィルタ６０を通過する。フィルタ６０の活性炭は、貫通孔６１を通過する空気中の悪臭成分および有害成分を吸着し、活性炭に担持された光触媒は、活性炭に吸着された悪臭成分および有害成分を分解する。
【００３０】
上記実施形態では以下の効果が得られる。
（１）フィルタ６０は、光源４０を含んだ内部空間３を下方から覆うように光源４０の下方に配置されている。この構成によれば、内部空間３で加熱された空気は、下方から上方に流れるため、フィルタ６０を通過せず、空気の対流に起因するフィルタ６０の温度上昇を抑制することができる。また、フィルタ６０には、内部空間３の空気よりも温度が低い空気が通過するため、フィルタ６０を冷却することができ、光源４０からの輻射熱に起因するフィルタ６０の温度上昇を抑制することができる。したがって、光源４０の発熱に起因するフィルタ６０の温度上昇を抑えることができる。すなわち、光源４０の上方にフィルタ６０が配置される構成に比べて、フィルタ６０の吸着作用が光源４０の発熱によって阻害されることが抑制され、空気を効果的に浄化することが可能となる。
【００３１】
（２）また、側壁２に光触媒反応層を形成することなく光源４０の下方に配置されたフィルタ６０で空気を浄化することができるため、側壁２の表面から離れた部分を流れる空気も効果的に浄化することが可能となる。また、側壁２の上下方向の寸法に関係なく空気を効果的に浄化することが可能であるため、高さの低い照明装置として好適な行燈１を構成することができる。
【００３２】
（３）また、光源４０の上方または側方にフィルタ６０が配置される構成に比べて、行燈１の側方および上方における照度の低下を抑制することができ、床置き型または壁掛け型の照明装置として好適な行燈１を構成することができる。
【００３３】
（４）側壁２は、光源４０を側方（後方）から支持するための光源支持パネル２２を含む。このため、光源４０の直下にフィルタ６０を配置することができる。したがって、光源４０とフィルタ６０との間に空気の流れを阻害するものがなく、フィルタ６０に空気中の悪臭成分および有害成分をより吸着させることができる。これに対して、図５で示す比較例に係る行燈１０１では、光源支持パネル１２２がフィルタ６０と光源４０との間に配置されており、光源支持パネル１２２によって空気の流れが阻害されるため、フィルタ６０に空気中の悪臭成分および有害成分を十分に吸着させることができない。
【００３４】
（５）また、光源４０の発した光がフィルタ６０の上面全体に照射されるように光源４０を支持することができるため、図５の構成に比べて、光触媒の触媒作用を促進することができる。
【００３５】
（６）透光性パネル２１は、非木材紙２１Ｂ（ヨシ紙または竹紙）を用いて構成されている。非木材植物を使用することによって森林破壊の抑制に貢献することができる。また、透光性パネル２１の非木材紙２１Ｂに悪臭成分を吸着させることによって、空気をより浄化することができる。
【００３６】
（７）基台１０は、底板部１１を支持するために支持脚１２を有している。このため、行燈１を床に設置したとき、床とフィルタ６０との間に空気の流れを円滑にする空間を確保することができ、床置き型の照明装置として好適な行燈１を構成することができる。
【００３７】
（８）枠体１５〜１７は、透光性パネル２１を取り外せるように上方に開口する。このため、基台１０から上面部材３０を取り外すだけで３枚の透光性パネル２１が交換可能な状態とすることができる。そして、透光性パネル２１を交換することによって、行燈１の外観や透光性パネル２１を通って照射される光の模様を変えることができる。
【００３８】
（９）上面部材３０は、非木材紙３３（竹紙またはヨシ紙）を用いて構成されている。このため、非木材紙３３によって、行燈１の上方から内部空間３への埃が入ることを抑制することができ、行燈１の外部から光源４０が直接目視されることを抑制することができる。また、非木材植物を使用することによって森林破壊の抑制に貢献することができる。また、上面部材３０の非木材紙３３に悪臭成分を吸着させることによって、空気をより一層浄化することができる。
【００３９】
（１０）非木材紙３３の空隙率は５０％未満である。このため、内部空間３から行燈１の外部へ空気が流出することを可能としながらも、行燈１の外部から光源４０やフィルタ６０が見えてしまうことを抑制でき、美観性の低下を抑えることができる。
【実施例】
【００４０】
（実施例１）
ポリカーボネートシートからなる板２１Ａとヨシ紙からなる非木材紙２１Ｂとにより構成された透光性パネル２１を作製するとともに、竹紙からなる非木材紙３３を備えた上面部材３０を作製した。また、光源４０として、消費電力が５．６Ｗであるミニクリプトン形のＬＥＤ電球（東芝ライテック（株）製、LDA6L-G-E17/S）を用意した。また、左右方向Ｙの寸法である幅が１１５ｍｍであって、前後方向Ｘの寸法である奥行が１１５ｍｍであって、上下方向Ｚの寸法である厚みが２０ｍｍであって、貫通孔６１の孔径が１．５５ｍｍであるフィルタ６０を作製した。そして、幅が約１６８ｍｍであって、奥行が約１６８ｍｍであって、上下方向Ｚの寸法である高さが約２４７ｍｍの行燈１を作成した。この行燈１の内部空間３では、光源４０の発熱により、約０．０２ｍ／秒で上方へ流れる空気の流れが生じた。また、光源４０が発する２５４ｎｍの波長を有する光（紫外線光）を紫外線強度計（（株）トプコンテクノハウス製、ＵＶＲ−２およびＵＤ−２５）を用いて測定した結果、光源４０の表面で約３２３μＷ／ｃｍ２、フィルタ６０の表面で約３１μＷ／ｃｍ２であり、フィルタ６０には、光触媒を活性化させる光量が光源４０から照射されていることが確認できた。そして、行燈１の空気浄化機能を確認するために、下記の悪臭成分濃度測定を実施した。
【００４１】
［悪臭成分濃度測定］
試験室の中央に行燈１を設置して、試験室内の悪臭成分の濃度の変化を測定した。試験室は、ポリエチレンシートで形成され、試験室の幅および奥行および高さの各々は、４５０ｍｍとした。試験室内の悪臭成分の濃度を測定する前に、２本の煙草を１５分間燃焼させ、試験室で煙草の臭気が均一となるように約３０秒間軸流ファンを駆動させた。煙草は、行燈１の左前方に配置された皿に入れておき、軸流ファンは行燈１の右前方に設けた。そして、試験室で煙草の臭気が均一化された直後に、悪臭成分であるアンモニア、酢酸、およびアセトアルデヒドの濃度を検知管で測定した。その後、光源４０を点灯させてから３０分後、１時間後、および２時間後に、アンモニア、酢酸、およびアセトアルデヒドの濃度を同様に測定した。
【００４２】
図６のグラフにおいて、「●」は実施例１に係る悪臭成分濃度測定の実施結果を示している。また、図６（Ａ）は、アンモニアの濃度の測定結果を示し、図６（Ｂ）は、酢酸の濃度の測定結果を示し、図６（Ｃ）は、アセトアルデヒドの濃度の測定結果を示している。また、図６のグラフにおいて、「■」は第１比較例を示し、「×」は第２比較例を示している。第１比較例は、実施例１の行燈１からフィルタ６０を取り除いて実施された悪臭成分濃度測定の実施結果を示している。すなわち、第１比較例においても、実施例１の行燈１と同様の煙突効果が生じる。第２比較例は、行燈１を試験室に設置せずに実施された悪臭成分濃度測定の実施結果を示しており、試験室内の悪臭成分の自然減衰傾向を示している。
【００４３】
図６（Ａ）〜（Ｃ）に示すように、第１比較例は、第２比較例に比べて悪臭成分の濃度が低い。このため、行燈１がフィルタ６０を備えていない場合であっても、透光性パネル２１の非木材紙２１Ｂおよび上面部材３０の非木材紙３３が、悪臭成分を吸着していることが推測される。そして、実施例１は、第１比較例に比べて悪臭成分の濃度が低く、さらに、実施例１と第１比較例との悪臭成分の濃度差は、第１比較例と第２比較例との悪臭成分の濃度差に比べて大きい。したがって、悪臭成分濃度測定の実施結果から、行燈１は空気浄化機能を有しており、光源４０の点灯が、フィルタ６０による悪臭成分の吸着、すなわち空気浄化機能の発揮に大きく寄与していることが判る。
【００４４】
本考案は、上記実施形態に限定されるものではなく、上記実施形態の構成を適宜変更することもできる。例えば、上記構成を以下のように変更して実施することもでき、以下の変更を組み合わせることもできる。
【００４５】
・行燈１は、蓋である上面部材３０を備えていなくてもよい。また、基台１０は支柱１３を有していなくてもよい。すなわち、光源の側方に配置される側壁は、支柱を含んでいなくてもよい。この場合、例えば、側面部材を直接繋ぎ合わせることによって側壁を構成することが可能である。また、基台１０は、上桟１４を有していなくてもよい。すなわち、基台に設けられた枠体は、上桟を含んでいなくてもよい。
【００４６】
・透光性パネル２１および光源支持パネル２２は、湾曲または屈曲していてもよい。また、光源支持パネル２２は、透光源が発した光を通すことが可能な透光性パネルであってもよい。また、透光性パネルを兼ねる光源支持パネルが円柱状または多角柱状に形成されることによって、側壁が、１枚の光源支持パネルにより構成されていてもよい。
【００４７】
・光源４０は、発する光の波長域に光触媒が触媒作用を示す波長と可視光線の波長とが含まれるのであれば、ＬＥＤ電球で構成されていなくてもよい。例えば、白熱電球により光源が構成されていてもよい。また、光源４０に直流電流が供給される構成であってもよい。この場合、ＡＣ／ＤＣ変換回路を用いることなく、発光ダイオードで光源４０を構成することが可能である。
【００４８】
・貫通孔６１を、四角柱状に形成されていなくてもよい。例えば、フィルタ６０には、三角柱状、六角柱状等の多角柱状の貫通孔、または円柱形状の貫通孔が形成されていてもよい。また、貫通孔６１を、上下方向Ｚに対して斜めに形成することもできる。
【００４９】
・光触媒は、光源４０の発する光によって触媒作用を示すのであれば、二酸化チタンでなくてもよい。例えば、光触媒は、酸化ジルコニウムまたは酸化亜鉛であってもよい。また、フィルタ６０は、安価に入手可能な活性炭を用いて構成されることが好ましいが、空気中の特定成分を吸着するのであれば、活性炭以外の吸着材を用いて構成されていてもよい。例えば、ゼオライト等を用いて形成されたセラミック材によってフィルタを構成してもよい。また、フィルタ６０は、光触媒を用いて構成されていなくてもよい。
【符号の説明】
【００５０】
１  行燈（空気浄化機能付き照明装置）
２  側壁
３  内部空間
１０  基台
１１  底板部
１１Ａ  開口部
１２  支持脚
１３  支柱
１４  上桟
１５〜１８  枠体
２０  側面部材
２１  透光性パネル（パネル）
２１Ａ  板
２１Ｂ  非木材紙（ヨシ紙または竹紙）
２２  光源支持パネル（パネル）
３０  上面部材
３１  枠体
３１Ａ  開口部
３２  格子
３３  非木材紙（竹紙またはヨシ紙）
４０  光源
５０  配線器具
５１  電源コード
５２  ソケット
６０  フィルタ
６１  貫通孔
Ｘ  前後方向
Ｙ  左右方向
Ｚ  上下方向
【図１】
0003195461.tif 000003
【図２】
0003195461.tif 000004
【図３】
0003195461.tif 000005
【図４】
0003195461.tif 000006
【図５】
0003195461.tif 000007
【図６】
0003195461.tif 000008